(57)【要約】【課題】車載用ＴＶ受信端末など、小型画面サイズで再生する放送受信端末で、データ放送の受信画面において、ユーザが任意に指定した領域を拡大表示させた場合に、ユーザ操作されるタイトル選択ボタンやカーソルが不明になることなく、操作性を向上すること。【解決手段】データ放送表示画面上で、ユーザ指定の例えばニューステキスト画像３３を指定領域拡大画像３３Ｘとして拡大表示させると共に、カーソル３４ａ，３４ｂ，…の操作に伴いカーソル操作領域拡大画像３４Ｘを同時表示させ、指定領域拡大画像３３Ｘかカーソル操作領域拡大画像３４Ｘの何れかを指定操作して拡大比率の変更操作を行うことで、指定された一方の拡大画像３３Ｘまたは３４Ｘをさらに拡大表示させるその比率に合わせて他方の拡大画像３４Ｘまたは３３Ｘを縮小表示させて見ることができる。【選択図】      図４
2007174193.tif 000002
【特許請求の範囲】
【請求項１】
放送受信手段と、
この放送受信手段により受信された放送番組のデータ放送画面を表示部に表示させる放送表示制御手段と、
この放送表示制御手段により表示部に表示されたデータ放送画面に対するユーザ操作に応じた指定位置を取得するユーザ指定位置取得手段と、
このユーザ指定位置取得手段により取得されたデータ放送画面のユーザ指定位置に対応した画面領域を拡大表示させる指定領域拡大表示制御手段と、
前記放送表示制御手段により表示部に表示されるデータ放送画面上の一部であって当該放送画面の内容を変更させるための部分に対するユーザ操作を検出するユーザ操作検出手段と、
このユーザ操作検出手段により検出されたデータ放送画面上のユーザ操作部分に対応した画面領域を前記指定領域拡大表示制御手段により拡大表示されたユーザ指定位置に対応する画面領域と共に拡大表示させる操作領域拡大表示制御手段と、
を備えたことを特徴とする放送受信端末。
【請求項２】
前記指定領域拡大表示制御手段により拡大表示されたユーザ指定位置に対応する画面領域と前記操作領域拡大表示制御手段により拡大表示されたユーザ操作部分に対応した画面領域との拡大比率を変更する拡大比率変更手段を備えたことを特徴とする請求項１に記載の放送受信端末。
【請求項３】
放送受信手段と、
この放送受信手段により受信された放送番組のデータ放送画面を表示部に表示させる放送表示制御手段と、
この放送表示制御手段により表示部に表示されたデータ放送画面に対するユーザ操作に応じた指定位置を取得するユーザ指定位置取得手段と、
このユーザ指定位置取得手段により取得されたデータ放送画面のユーザ指定位置に対応した画面領域を拡大し前記表示部に全画面表示させる指定領域拡大表示制御手段と、
前記放送表示制御手段により表示部に表示されるデータ放送画面上の一部であって当該放送画面の内容を変更させるための部分に対するユーザ操作を検出するユーザ操作検出手段と、
このユーザ操作検出手段により検出されたデータ放送画面上のユーザ操作部分に対応した画面領域を拡大し前記表示部に一定時間全画面表示させる操作領域拡大表示制御手段と、
を備えたことを特徴とする放送受信端末。
【請求項４】
放送受信手段と、
この放送受信手段により受信された放送番組のデータ放送画面を表示部に表示させる放送表示制御手段と、
この放送表示制御手段により表示部に表示されたデータ放送画面に対するユーザ操作に応じた指定位置を取得するユーザ指定位置取得手段と、
このユーザ指定位置取得手段により取得されたデータ放送画面のユーザ指定位置に対応した画面領域を拡大し前記表示部に全画面表示させる指定領域拡大表示制御手段と、
前記放送表示制御手段により表示部に表示されるデータ放送画面上の一部であって当該放送画面の内容を変更させるための部分に対するユーザ操作を検出するユーザ操作検出手段と、
このユーザ操作検出手段により検出されたデータ放送画面上のユーザ操作部分に対応した画面領域を前記表示部に一定時間ポップアップ表示させる操作領域ポップアップ表示制御手段と、
を備えたことを特徴とする放送受信端末。
【請求項５】
前記ユーザ操作の検出に伴い前記表示部に一定時間表示されるデータ放送画面上のユーザ操作部分に対するユーザ再操作を検出するユーザ再操作検出手段と、
このユーザ再操作検出手段による前記データ放送画面上のユーザ操作部分に対するユーザ再操作の検出に応じて当該放送画面の内容を変更設定する画面内容変更設定手段と、
を備えたことを特徴とする請求項３または請求項４に記載の放送受信端末。
【発明の詳細な説明】
【技術分野】
【０００１】
本発明は、例えば車載用のＴＶ受信端末など、テレビ放送を受信し小型な画面サイズで再生する機能を備えた放送受信端末に関する。
【背景技術】
【０００２】
従来から車載用のＴＶ受信端末が広く実用されているが、最近ではデジタルテレビジョン放送に対応した受信端末により、各受信チャンネル毎に１つずつの映像放送番組だけでなく、同一の受信チャンネルでデータ放送も選択して受信再生できるようになっている。
【０００３】
図１２は、デジタルテレビジョン放送におけるデータ放送を受信再生した場合の従来の受信画面の一例を示す図である。
【０００４】
このデータ放送の画面Ｇは、図１２（Ａ）に示すように、例えば映像放送中の動画像１、天気予報の動画像２、ニュースのテキスト画像３、当該ニュースのタイトルを選択するためのカーソル４ａ，４ｂ，４ｃ，…など、複数種類の画像情報や文字情報を１画面内に組み合わせて構成されており、画面サイズの大きい家庭用などのＴＶ受信装置では、ユーザは当該データ放送による受信画面内の各種の情報を容易に見ることができるが、画面サイズの小さい車載用などのＴＶ受信端末では、ニュースのテキスト画像３など、特に文字配列による情報が見難く読み取り辛いものとなる。
【０００５】
そこで、デジタルテレビ放送におけるデータ放送を受信表示させた際に、例えば図１２（Ｂ）に示すように、当該データ放送画面上のユーザが指定する任意の領域（この場合はニューステキスト画像３の領域）に合わせて拡大表示３Ｘさせるようにしたデジタル放送受信機が考えられている（例えば、特許文献１参照。）。
【０００６】
この図１２（Ｂ）で示すニューステキスト画像３の領域を指定して拡大表示３Ｘさせた画面において、５ａ，５ｂはリモコン操作パネル、６は受信中データ放送画面Ｇの画面全体に対する拡大指定領域７を示すための拡大領域レイアウト画像を示す。
【特許文献１】特開２００３−３４８４７４号
【発明の開示】
【発明が解決しようとする課題】
【０００７】
前記従来のデジタル放送受信機では、データ放送を受信表示している際に、任意の画面領域を指定して拡大表示３Ｘさせることで、細かく見難い情報部分を見易い大きさにして表示させることはできるものの、この指定領域を拡大表示３Ｘさせた状態では、当該指定領域の拡大表示３Ｘのためにそれ以外の領域が表示画面からはみ出て隠れてしまうので、例えば複数のニュースタイトルを選択指定するための選択ボタンやカーソル４ａ，４ｂ，４ｃ，…の部分が見えなかったり見難かったりしたままでは、これをリモコン操作して切り替えられるニュースタイトルが何であるかを把握することができなくなり、操作性が非常に悪くなってしまう。
【０００８】
本発明は、このような課題に鑑みなされたもので、データ放送の受信画面において、ユーザが任意に指定した領域を拡大表示させた場合に、ユーザ操作されるタイトル選択ボタンやカーソルが不明になることなく、操作性を向上することか可能になる放送受信端末を提供することを目的とする。
【課題を解決するための手段】
【０００９】
本発明の請求項１に記載の放送受信端末では、放送受信手段により受信された放送番組のデータ放送画面が放送表示制御手段によって表示部に表示された状態において、このデータ放送画面上の任意の画像領域がユーザにより指定操作されると、このユーザ操作に応じた指定位置がユーザ指定位置取得手段によって取得され、この取得されたデータ放送画面のユーザ指定位置に対応した画面領域が指定領域拡大表示制御手段によって拡大表示される。そして、放送表示制御手段によって表示部に表示されるデータ放送画面上の一部であって当該放送画面の内容を変更させるための部分に対するユーザ操作がユーザ操作検出手段によって検出されると、この検出されたデータ放送画面上のユーザ操作部分に対応した画面領域が前記指定領域拡大表示制御手段により拡大表示されたユーザ指定位置に対応する画面領域と共に操作領域拡大表示制御手段によって拡大表示される。
【００１０】
これによれば、車載用の放送受信端末など、小型サイズに限られた表示画面にあっても、明確に見たいユーザ指定の画像領域と当該領域画像を選択変更するためのボタン・カーソルなどのユーザ操作部分の画面領域とを容易に拡大表示させて見ることができる。
【発明の効果】
【００１１】
本発明によれば、データ放送の受信画面において、ユーザが任意に指定した領域を拡大表示させた場合に、ユーザ操作されるタイトル選択ボタンやカーソルが不明になることなく、操作性を向上することか可能になる放送受信端末を提供できる。
【発明を実施するための最良の形態】
【００１２】
以下図面により本発明の実施の形態について説明する。
【００１３】
（第１実施形態）
図１は、本発明の実施形態に係る放送受信端末１０の構成を示すブロック図である。
【００１４】
この放送受信端末１０において、アンテナ１１により受信入力されたデジタルテレビ放送信号は、放送受信部１２において受信・復調され、番組コンテンツ取得部１３においてユーザ選択された放送チャンネルの番組コンテンツのデータが取得される。
【００１５】
そして、この番組コンテンツ取得部１３により取得された番組コンテンツデータの映像／音声データは、映像再生部１４と音声再生部１５においてそれぞれ再生され、ディスプレイ１６により画像出力されると共に、スピーカ１７により音声出力される。
【００１６】
一方、前記番組コンテンツ取得部１３により取得された番組コンテンツデータは、ＢＭＬ解析機能部１８によって当該番組コンテンツデータのＢＭＬ(Broadcast markup language:コンテンツ記述言語)が解析され、その解析結果に応じた画像処理が行われる。
【００１７】
このＢＭＬ解析機能部１８は、番組コンテンツ取得部１３により取得された番組コンテンツデータからそのＢＭＬを取得するＢＭＬ取得部２０、このＢＭＬ取得部２０により取得されたＢＭＬに従って番組画面上での各コンテンツの位置（座標）などを解析するＢＭＬ解析部２１、このＢＭＬ解析部２１により解析された番組画面上での各コンテンツの位置情報に基づいてリモコン・タッチパネルキー取得部１９により取得されたリモコンまたはタッチ操作パネルによるユーザ操作に応じた選択中のボタンやカーソル（ユーザ操作部分）の位置を検出するフォーカス位置検出部２２、このフォーカス位置検出部２２により検出された番組画面上でのユーザ選択中のボタンやカーソル位置を基準とする画像領域を拡大領域として設定する自動拡大領域座標設定部２３を備えている。
【００１８】
そして、前記映像再生部１４により再生される番組画面データと、前記ＢＭＬ解析機能部１８の自動拡大領域座標設定部２３により設定されたユーザ選択中のボタンやカーソルを基準とする画像拡大領域の設定データと、リモコン・タッチパネルキー取得部１９により取得された再生画面上でのユーザ指定位置データとは、映像拡大部２４に与えられる。
【００１９】
この映像拡大部２４は、前記リモコン・タッチパネルキー取得部１９により取得される再生画面上でのユーザ指定位置を基準とする画像領域を拡大処理するユーザ指定領域拡大部２５、前記自動拡大領域座標設定部２３により設定されたユーザ操作位置のボタンやカーソル（ユーザ操作部分）を基準とする画像拡大領域に応じて再生画面上の画像領域を拡大処理する自動拡大領域拡大部２６を備えている。
【００２０】
そして、前記映像拡大部２４のユーザ指定領域拡大部２５により拡大処理されたユーザ指定領域の拡大画像および前記自動拡大領域拡大部２６により拡大処理されたユーザ操作位置のボタンやカーソルを基準にした設定領域の拡大画像は、前記映像再生部１４からの再生画面の画像と共に映像合成部２８に与えられて合成処理され、ディスプレイ１６により表示される。
【００２１】
なお、前記映像拡大部２４にはタイマー制御部２７によりカウントされるタイマー信号が与えられ、前記ユーザ指定領域拡大部２５により拡大処理されたユーザ指定領域の拡大画像と、前記自動拡大領域拡大部２６により拡大処理されたユーザ操作位置のボタンやカーソルを基準にした設定領域の拡大画像との、前記映像合成部２８に対する出力タイミングが制御される。
【００２２】
このような放送受信端末１０における各機能部分１１〜２７の動作は、図示しない記憶装置に記憶された放送受信端末制御プログラムに従ったＣＰＵ（Central Processing unit;図示せず)からの指令信号によって制御される。
【００２３】
次に、前記構成の放送受信端末１０による第１実施形態の放送画面領域拡大機能について説明する。
【００２４】
図２は、前記放送受信端末１０による第１実施形態の放送画面領域拡大処理を示すフローチャートである。
【００２５】
図３は、前記放送受信端末１０の第１実施形態の放送画面領域拡大処理に伴う拡大比率変更処理を示すフローチャートである。
【００２６】
図４は、前記放送受信端末１０による第１実施形態の放送画面領域拡大処理に伴うデータ放送再生画面での領域拡大表示状態を示す図である。
【００２７】
ここでは、放送受信部１２により受信されたデジタルテレビジョン放送について、番組コンテンツ取得部１３にてユーザ選択された放送チャンネルの番組コンテンツが取得され、例えば図４（Ａ）に示すように、そのデータ放送の画面データが映像再生部１４によりディスプレイ１６に表示されている状態での画面領域拡大処理について説明する。
【００２８】
なお、図４（Ａ）に一例として示すデータ放送画面は、映像放送中の動画像３１、天気予報の動画像３２、ニュースのテキスト画像３３、当該ニュースのタイトルを選択するためのカーソル３４ａ，３４ｂ，３４ｃ，…など、複数種類の画像情報や文字情報を組み合わせて構成されている。
【００２９】
このデータ放送画面の表示状態において、ニュースのタイトルを選択するためのカーソル（ユーザ操作部分）３４ａ，３４ｂ，３４ｃ，…をリモコン操作すると、番組コンテンツ取得部１３において、ユーザ選択されたカーソル３４Ｎに対応したタイトルｎのニューのテキスト画像３３に切り替えられた画面データが生成取得されディスプレイ１６に表示される。
【００３０】
このように、カーソル３４ａ，３４ｂ，３４ｃ，…により所望のニュースタイトルを選択して当該ニュースのテキスト画像３３を切り替え表示させている状態にあって、例えばディスプレイ１６が小型であることでニュースのテキスト画像３３が見難い場合に、そのニューステキスト画像３３の領域をタッチ操作して指定すると、リモコン・タッチパネルキー取得部１９により取得された表示画面上のタッチ位置を基準にした一定領域の画像（この場合は、ニューステキスト画像３３）が、映像拡大部２４のユーザ指定領域拡大部２５においてデフォルトの拡大比率で拡大処理され、映像合成部２８を介して画面上の第１の領域（この場合は右領域）に指定領域拡大画像３３Ｘ（図４（Ｂ）参照）として合成表示される（ステップＳ２→Ｓ３）。
【００３１】
これと共に、前記ユーザ指定されたニューステキスト画像３３である指定領域拡大画像３３Ｘの周辺には、ボタン／カーソル操作用の操作パネル３５ａおよび拡大比率変更用の操作パネル３５ｂ（図４（Ｂ）参照）が表示され（ステップＳ４）、さらに、前記番組コンテンツ取得部１３にて選択取得中のデータ放送画面を縮小して現在の拡大指定領域枠３７ａを示す拡大領域レイアウト画像３６が前記ユーザ指定領域拡大部２５にて得られたユーザ指定領域情報に基づき表示される（ステップＳ５）。
【００３２】
この時点で、前記ユーザ指定されたニューステキスト画像３３を指定領域拡大画像３３Ｘとして拡大表示させそのテキスト内容を明確に表示できると共に、拡大領域レイアウト画像３６を表示させ当該選択中データ放送画面のどの領域を拡大表示中であるかも明確に表示できる。
【００３３】
そして、例えば現在選択表示中のニュースのタイトルを変更すべく、ボタン／カーソル操作用の操作パネル３５ａの「↑」「↓」キーを操作して、カーソル（ユーザ操作部分）３４ａ，３４ｂ，…に対する操作ありと判断されると（ステップＳ６）、リモコン・タッチパネルキー取得部１９から得られたキー操作情報に応じたカーソル３４ａ，３４ｂ，…の選択位置がＢＭＬ解析機能部１８におけるフォーカス位置検出部２２において特定され（ステップＳ７）、このカーソル操作に応じた選択カーソルの設定変更が行われ、前記指定領域拡大画像３３Ｘとして拡大表示されているニュースの内容が、例えば図４（Ｂ）で示すように、新たにユーザ選択されたカーソル３４ｂに対応したタイトル２のニュース画像に切り替えられて表示される（ステップＳ８）。
【００３４】
すると、前記フォーカス位置検出部２２において特定されたカーソル操作位置（この場合は「カーソル３４ｂ」）を基準にした一定領域の座標が自動拡大領域座標設定部２３において設定されてその領域画像が映像拡大部２４の自動拡大領域拡大部２６にて拡大処理され、図４（Ｂ）で示すように、映像合成部２８を介して画面上の第２の領域（この場合は左領域）にカーソル操作領域拡大画像３４Ｘとして合成表示される（ステップＳ９）。
【００３５】
この際、前記拡大領域レイアウト画像３６において、カーソル操作領域拡大画像３４Ｘに対応したところを示す自動拡大領域枠３７ｂが前記自動拡大領域拡大部２６にて得られた自動拡大領域に基づき表示される。
【００３６】
こうすることにより、前記ユーザ指定されたニューステキスト画像３３が指定領域拡大画像３３Ｘとして画面上の第１の領域（右領域）に拡大表示される一方で、ユーザ操作されたニュースタイトル選択用のカーソル３４ｂの操作位置付近がカーソル操作領域拡大画像３４Ｘとして同画面上の第２の領域（左領域）に同時拡大表示されるので、ニューステキストの内容を明確に表示視認できるだけでなく、カーソル３４ａ，３４ｂ，…を操作することによる変更後のニュースタイトルも明確に確認できるようになり、非常に操作性の良い放送受信端末１０を実現できる。
【００３７】
そして、前記ユーザ指定されたニューステキスト画像３３を指定領域拡大画像３３Ｘとして画面上の第１の領域（右領域）に拡大表示させると共に、カーソル３４ａ，３４ｂ，…の操作位置付近をカーソル操作領域拡大画像３４Ｘとして同画面上の第２の領域（左領域）に同時拡大表示させた、例えば図４（Ｂ）で示す画面表示状態では、図３における拡大比率変更処理が常時割り込みで起動される。
【００３８】
すなわち、この拡大比率変更処理では、ユーザ指定領域拡大部２５や自動拡大領域拡大部２６によって表示中の画面領域に拡大があると判断される状態で（ステップＱ１）、指定領域拡大画像３３Ｘかまたはカーソル操作領域拡大画像３４Ｘの何れかの拡大領域に対するユーザ指定（タッチ）操作の有無が判断される（ステップＱ２）。
【００３９】
ここで例えば、指定領域拡大画像３３Ｘの拡大領域に対するユーザ指定操作が有ったと判断された後（ステップＱ２（Ｙ））、拡大比率変更用の操作パネル３５ｂにて拡大指示［＋］の操作があったと判断された場合には（ステップＱ３（Ｙ））、図４（Ｃ）に示すように、ユーザ指定操作された一方の拡大領域であるニューステキスト画像３３の指定領域拡大画像３３Ｘがさらに一定の比率で拡大処理されて表示されると共に、その拡大比率に応じてユーザ指定操作されなかった他方の拡大領域であるカーソル３４ｂ付近のカーソル操作領域拡大画像３４Ｘが縮小処理されて表示される（ステップＱ４）。
【００４０】
また逆に例えば、前記図４（Ｂ）で示す画面表示状態で、カーソル操作領域拡大画像３４Ｘの拡大領域に対するユーザ指定操作が有ったと判断された後（ステップＱ２（Ｙ））、拡大比率変更用の操作パネル３５ｂにて拡大指示［＋］の操作があったと判断された場合には（ステップＱ３（Ｙ））、ユーザ指定操作された一方の拡大領域であるカーソル３４ｂ付近のカーソル操作領域拡大画像３４Ｘがさらに一定の比率で拡大処理されて表示されると共に、その拡大比率に応じてユーザ指定操作されなかった他方の拡大領域であるニューステキスト画像３３の指定領域拡大画像３３Ｘが縮小処理されて表示される（ステップＱ４）。
【００４１】
このように構成された放送受信端末１０による第１実施形態の放送画面領域拡大機能によれば、データ放送表示画面上で、ユーザ指定の例えばニューステキスト画像３３を指定領域拡大画像３３Ｘとして拡大表示させると共に、カーソル３４ａ，３４ｂ，…の操作に伴いカーソル操作領域拡大画像３４Ｘを同時表示させ、指定領域拡大画像３３Ｘかカーソル操作領域拡大画像３４Ｘの何れかを指定操作して拡大比率の変更操作を行うことで、指定された一方の拡大画像３３Ｘまたは３４Ｘをさらに拡大表示させるその比率に合わせて他方の拡大画像３４Ｘまたは３３Ｘを縮小表示させるようにしたので、車載用の放送受信端末１０など、小型サイズに限られた表示画面にあっても、明確に見たいユーザ指定の画像領域と当該領域画像を選択変更するためのカーソル操作領域とを容易に拡大表示させ且つ必要に応じてそれらの拡大比率を変更表示させて見ることができる。
【００４２】
なお、この第１実施形態の放送画面領域拡大機能では、データ放送画面における例えばニューステキスト画像３３をユーザ指定領域とした拡大画像３３Ｘと、該ニュースのタイトルを変更するためのカーソル操作領域の拡大画像３４Ｘとを同時表示させて、ユーザが見たい画面領域の内容とその変更操作の内容とを容易に視認把握することのできる構成としたが、次の第２実施形態の放送画面領域拡大機能にて説明するように、ユーザ指定領域の拡大画像３３Ｘ′を全画面表示させた状態で、カーソル３４ａ，３４ｂ，…に対するユーザ操作の検出時にのみ当該カーソル操作領域の拡大画像３４Ｘ′を一定時間切り替えて全画面表示させる構成としてもよい。
【００４３】
（第２実施形態）
図５は、前記放送受信端末１０による第２実施形態の放送画面領域拡大処理を示すフローチャートである。
【００４４】
図６は、前記放送受信端末１０による第２実施形態の放送画面領域拡大処理に伴うデータ放送再生画面での領域拡大表示状態（その１）を示す図である。
【００４５】
図７は、前記放送受信端末１０による第２実施形態の放送画面領域拡大処理に伴うデータ放送再生画面での領域拡大表示状態（その２）を示す図である。
【００４６】
図６（Ａ）に示すようなデータ放送画面の表示状態において、ニュースのタイトルを選択するためのカーソル３４ａ，３４ｂ，３４ｃ，…をリモコン操作すると、番組コンテンツ取得部１３において、ユーザ選択されたカーソル３４Ｎに対応したタイトルｎのニュースのテキスト画像３３に切り替えられた画面データが生成取得されディスプレイ１６に表示される。
【００４７】
このように、カーソル３４ａ，３４ｂ，３４ｃ，…により所望のニュースタイトルを選択して当該ニュースのテキスト画像３３を切り替え表示させている状態にあって、例えばディスプレイ１６が小型であることでニュースのテキスト画像３３が見難い場合に、そのニューステキスト画像３３の領域をタッチ操作して指定すると、リモコン・タッチパネルキー取得部１９により取得された表示画面上のタッチ位置を基準にした一定領域の画像（この場合は、ニューステキスト画像３３）が、映像拡大部２４のユーザ指定領域拡大部２５においてデフォルトの拡大比率で拡大処理され、図６（Ｂ）に示すように、映像合成部２８を介して指定領域拡大画像３３Ｘ′として全画面表示される（ステップＡ２→Ａ３）。
【００４８】
この際、前記ユーザ指定されたニューステキスト画像３３を拡大全画面表示した指定領域拡大画像３３Ｘ′上には、ボタン／カーソル操作用の操作パネル３５ａおよび拡大比率変更用の操作パネル３５ｂが重ねて表示され（ステップＡ４）、さらに、前記番組コンテンツ取得部１３にて選択取得中のデータ放送画面を縮小して現在の拡大指定領域枠３７′を示す拡大領域レイアウト画像３６′が前記ユーザ指定領域拡大部２５にて得られたユーザ指定領域情報に基づき生成表示される（ステップＡ５）。
【００４９】
この時点で、前記ユーザ指定されたニューステキスト画像３３を指定領域拡大画像３３Ｘ′として拡大表示させそのテキスト内容を明確に表示できると共に、拡大領域レイアウト画像３６′を重ねて表示させ当該選択中データ放送画面のどの領域を拡大表示中であるかも明確に表示できる。
【００５０】
そして、例えば現在選択表示中のニュースのタイトルを変更すべく、ボタン／カーソル操作用の操作パネル３５ａの「↑」「↓」キーを操作して、前記カーソル（ユーザ操作部分）３４ａ，３４ｂ，…に対する操作ありと判断されると（ステップＡ６）、リモコン・タッチパネルキー取得部１９から得られたキー操作情報に応じたカーソル３４ａ，３４ｂ，…の選択位置がＢＭＬ解析機能部１８におけるフォーカス位置検出部２２において特定される（ステップＡ７）。
【００５１】
そして、このカーソル操作に応じた選択カーソルの設定変更が行われ、現在選択表示中のニュースの内容が、新たにユーザ選択されたカーソルに対応したタイトルのニュースに切り替えられると共に（ステップＡ８）、前記フォーカス位置検出部２２において特定されたカーソル操作位置（例えば「カーソル３４ｂ」）を基準にした一定領域の座標が自動拡大領域座標設定部２３において設定されてその領域画像が映像拡大部２４の自動拡大領域拡大部２６にて拡大処理され、図７（Ａ）で示すように、映像合成部２８を介してカーソル操作領域拡大画像３４Ｘ′として全画面表示される（ステップＡ９）。
【００５２】
この際、前記拡大領域レイアウト画像３６′において、カーソル操作領域拡大画像３４Ｘ′に対応したところを示す自動拡大領域枠３７′が前記自動拡大領域拡大部２６にて得られた自動拡大領域に基づき表示される。
【００５３】
そして、このカーソル操作領域拡大画像３４Ｘ′の全画面表示の状態が、タイマー制御部２７での計時制御に応じて一定時間経過したと判断されると、当該カーソル操作領域拡大画像３４Ｘ′の全画面表示が消去されると共に、図７（Ｂ）に示すように、前記ステップＡ２にてユーザ指定判断された表示画面位置を基準にした現在選択中であるタイトル２のニューステキスト画像３３が、映像拡大部２４のユーザ指定領域拡大部２５において拡大処理され、映像合成部２８を介して指定領域拡大画像３３Ｘ′として全画面表示される（ステップＡ１０→Ａ１１）。
【００５４】
この後は、前記同様にボタン／カーソル操作用の操作パネル３５ａの「↑」「↓」キーによって、カーソル３４ａ，３４ｂ，…に対する操作ありと判断される毎に、前記ユーザ指定領域の拡大画像３３Ｘ′は、該カーソル操作に応じたカーソル操作領域拡大画像３４Ｘ′の一定時間の全画面表示に切り替えられ、再び指定領域拡大画像３３Ｘ′の全画面表示に復帰される（ステップＡ６〜Ａ１１）。
【００５５】
したがって、前記構成の放送受信端末１０による第２実施形態の放送画面領域拡大機能によれば、データ放送の受信画面上でユーザ指定されたニューステキスト画像３３が指定領域拡大画像３３Ｘ′として全画面に拡大表示された後、ボタン／カーソル操作用の操作パネル３５ａ（またはリモコン操作）によってニュースタイトル選択のためのカーソル操作が行われると、選択されたカーソル（例えば３４ｂ）位置付近がカーソル操作領域拡大画像３４Ｘ′として一定時間全画面表示された後、カーソル選択により切り替えられたニューステキスト画像３３の指定領域拡大画像３３Ｘ′の全画面表示に復帰されるので、ニューステキストの内容を全画面拡大表示にして明確に視認できるだけでなく、その際のカーソル操作による変更後のニュースタイトルも明確に確認できるようになり、非常に操作性の良い放送受信端末１０を実現できる。
【００５６】
なお、この第２実施形態の放送画面領域拡大機能では、データ放送画面におけるユーザ指定領域の拡大画像３３Ｘ′を全画面表示させた状態で、このユーザ指定領域拡大画像３３Ｘ′の全画面表示に隠れたカーソル３４ａ，３４ｂ，…に対するユーザ操作の検出時には、当該カーソル操作領域の拡大画像３４Ｘ′を一定時間切り替えて全画面表示させる構成としたが、次の第３実施形態の放送画面領域拡大機能にて説明するように、同ユーザ指定領域の拡大画像３３Ｘ′を全画面表示させた状態で、この全画面表示に隠れたカーソル３４ａ，３４ｂ，…に対するユーザ操作の検出時には、当該カーソル操作領域付近の画像３４Ｐを一定時間ポップアップ表示させる構成としてもよい。
【００５７】
（第３実施形態）
図８は、前記放送受信端末１０による第３実施形態の放送画面領域拡大処理を示すフローチャートである。
【００５８】
図９は、前記放送受信端末１０による第３実施形態の放送画面領域拡大処理に伴うデータ放送再生画面での領域拡大表示状態を示す図である。
【００５９】
この第３実施形態の放送画面領域拡大処理（図８参照）におけるステップＢ１〜Ｂ８での処理は、前記第２実施形態の放送画面領域拡大処理（図５参照）におけるステップＡ１〜Ａ８での処理と同一である。
【００６０】
すなわち、この第３実施形態の放送画面領域拡大処理では、前記第２実施形態でのそれと同様にして、例えば図６で示したように、データ放送画面においてユーザが明確に見たいニューステキスト画像３３の画面領域を指定すると、このユーザ指定領域の拡大画像３３Ｘ′が全画面表示される（ステップＢ２→Ｂ３）。
【００６１】
そして、この指定領域拡大画像３３Ｘ′上には、ボタン／カーソル操作用の操作パネル３５ａおよび拡大比率変更用の操作パネル３５ｂが重ねて表示されると共に（ステップＢ４）、番組コンテンツ取得部１３にて選択取得中のデータ放送画面を縮小して現在の拡大指定領域枠３７′を示す拡大領域レイアウト画像３６′がユーザ指定領域拡大部２５にて得られたユーザ指定領域情報に基づき生成表示される（ステップＢ５）。
【００６２】
するとこの時点で、前記ユーザ指定されたニューステキスト画像３３を指定領域拡大画像３３Ｘ′として拡大表示させそのテキスト内容を明確に表示できると共に、拡大領域レイアウト画像３６′を重ねて表示させ当該選択中データ放送画面のどの領域を拡大表示中であるかも明確に表示できる。
【００６３】
そして、例えば現在選択表示中のニュースのタイトルを変更すべく、ボタン／カーソル操作用の操作パネル３５ａの「↑」「↓」キーを操作して、カーソル（ユーザ操作部分）３４ａ，３４ｂ，…に対する操作ありと判断されると（ステップＢ６）、リモコン・タッチパネルキー取得部１９から得られたキー操作情報に応じたカーソル３４ａ，３４ｂ，…の選択位置がＢＭＬ解析機能部１８におけるフォーカス位置検出部２２において特定される（ステップＢ７）。
【００６４】
そして、このカーソル操作に応じた選択カーソルの設定変更が行われ、指定領域拡大画像３３Ｘ′として現在選択表示中のニュースの内容が、新たにユーザ選択されたカーソルに対応したタイトルのニュースに切り替えられると共に（ステップＢ８）、前記フォーカス位置検出部２２において特定されたカーソル操作位置（例えば「カーソル３４ｂ」）を基準にした一定領域の画像が、図９（Ｃ）に示すように、全画面表示中の指定領域拡大画像３３Ｘ′に重ねたカーソル操作領域ポップアップ画像３４Ｐとして表示される（ステップＢ９）。
【００６５】
そして、このカーソル操作領域ポップアップ画像３４Ｐの表示状態が、タイマー制御部２７での計時制御に応じて一定時間経過したと判断されると、図９（Ｄ）に示すように、当該カーソル操作領域ポップアップ画像３４Ｐのポップアップ表示が消去され、前記指定領域拡大画像３３Ｘ′のみの全画面表示に戻る（ステップＢ１０→Ｂ１１）。
【００６６】
この後は、前記同様にボタン／カーソル操作用の操作パネル３５ａの「↑」「↓」キーによって、カーソル３４ａ，３４ｂ，…に対する操作ありと判断される毎に、前記ユーザ指定領域の拡大画像３３Ｘ′上に、該カーソル操作に応じたカーソル操作領域ポップアップ画像３４Ｐの一定時間のポップアップ表示が行われ、再び指定領域拡大画像３３Ｘ′のみの全画面表示に戻る（ステップＢ６〜Ｂ１１）。
【００６７】
したがって、前記構成の放送受信端末１０による第３実施形態の放送画面領域拡大機能によれば、データ放送の受信画面上でユーザ指定されたニューステキスト画像３３が指定領域拡大画像３３Ｘ′として全画面に拡大表示された後、ボタン／カーソル操作用の操作パネル３５ａ（またはリモコン操作）によってニュースタイトル選択のためのカーソル操作が行われると、カーソル操作により選択されたニューステキスト画像３３の指定領域拡大画像３３Ｘ′の全画面表示に切り替えられると共に、選択されたカーソル（例えば３４ｂ）位置付近がカーソル操作領域ポップアップ画像３４Ｐとして一定時間ポップアップ表示されるので、ニューステキストの内容を全画面拡大表示にして明確に視認できるだけでなく、その際のカーソル操作による変更後のニュースタイトルもポップアップ表示にして明確に確認できるようになり、非常に操作性の良い放送受信端末１０を実現できる。
【００６８】
なお、前記各実施形態において、データ放送受信画面上で表示されているカーソル３４ａ，３４ｂ，３４ｃ，…に対するユーザ操作位置は、ＢＭＬ解析機能部１８のフォーカス位置検出部２２において、番組コンテンツ取得部１３において選択的に取得された番組コンテンツデータのＢＭＬ(Broadcast markup language:コンテンツ記述言語)に基づき解析・検出する構成としたが、図１０に示すように、取得された番組画面データのユーザ操作時に対応した経時的な差分から検出する構成としてもよい。
【００６９】
図１０は、前記放送受信端末１０による放送画面領域拡大処理においてユーザ操作に伴うカーソル領域を検出するための他の実施形態を説明する図である。
【００７０】
すなわち、番組コンテンツ取得部１３において選択的に取得された番組コンテンツデータの番組画面データについて、常時経時的な差分を抽出することで、ユーザ操作が無い状態では、例えば図１０（Ａ）→（Ｂ）に示すように、データ放送の受信番組画面上にて映像放送中の動画像３１および天気予報の動画像３２については常時差分が抽出されることになり、これを映像部分領域Ｄ３１やアニメーション部分領域Ｄ３２として検出する。
【００７１】
一方で、ユーザ操作によるカーソル選択があったときには、図１０（Ａ）→（Ｃ）に示すように、選択表示されるカーソルの位置が例えばカーソル３４ａ→３４ｂと変化して差分が抽出されるので、これをユーザによるカーソル操作領域Ｄ３４として検出し、前記第１実施形態では画面上の第２の領域（左領域）に合成表示するカーソル操作領域拡大画像３４Ｘ（図４参照）、前記第２実施形態では一定時間全画面表示するカーソル操作領域拡大画像３４Ｘ′（図７参照）、前記第３実施形態では一定時間ポップアップ表示するカーソル操作領域ポップアップ画像３４Ｐ（図９参照）として構成する。
【００７２】
これにより、番組コンテンツデータのＢＭＬに基づき解析・検出せずとも、番組画面データのユーザ操作時に対応した経時的な差分から、データ放送受信画面上で表示されているカーソル３４ａ，３４ｂ，…に対するユーザ操作位置を検出することができる。
【００７３】
（第４実施形態）
図１１は、放送受信端末１０による第４実施形態の放送画面領域拡大処理を示すフローチャートである。
【００７４】
この第４実施形態の放送画面領域拡大処理において、前記図５における第２実施形態の放送画面領域拡大処理と同一の処理ステップについては同一のステップ符号を付してその説明を省略している。
【００７５】
すなわち、前記放送受信端末１０による第２実施形態の放送画面領域拡大処理（図５参照）では、ユーザによるカーソル操作に応じて選択されたカーソルに設定変更した後に（ステップＡ６〜Ａ８）、カーソル操作領域拡大画像３４Ｘ′を一定時間全画面表示させて設定変更後のカーソル位置をユーザに確認させる（ステップＡ９〜Ａ１１）構成としたが、この第４実施形態の放送画面領域拡大処理では、図１１に示すように、ユーザによるカーソル操作が検出された場合には（ステップＡ６）、まず現在のカーソル位置のままのカーソル操作領域拡大画像３４Ｘ′を一定時間全画面表示し（ステップＡ６〜Ａ９→Ａ１０）、この一定時間内にユーザによるカーソル再操作があった場合に（ステップＡ９′）、当該カーソル再操作に応じて選択されたカーソルに設定変更する（ステップＡ８）構成とする。
【００７６】
これによれば、ユーザによる指定領域の拡大画像３３Ｘ′を全画面表示させた状態にあっても（ステップＡ２〜Ａ５）、ユーザ操作による選択先のカーソル内容を事前確認させた上で実際に画面内容を変更するためのカーソル操作を行わせることができる。
【００７７】
なお、この第４実施形態におけるカーソル操作領域拡大画像３４Ｘ′の全画面表示後のカーソル再操作によって当該カーソル再操作に応じて選択されたカーソルに設定変更する処理は、前記図８における第３実施形態の放送画面領域拡大処理にも同様に応用することができる。
【００７８】
すなわち、図示はしないが、ユーザによるカーソル操作が検出された場合には、まず現在のカーソル位置のままのカーソル操作領域ポップアップ画像３４Ｐを一定時間ポップアップ表示し、この一定時間内にユーザによるカーソル再操作があった場合に、当該カーソル再操作に応じて選択されたカーソルに設定変更する構成とすればよい。
【００７９】
このように第３実施形態を変更した構成とすることでも、ユーザによる指定領域の拡大画像３３Ｘ′を全画面表示させた状態で（ステップＢ２〜Ｂ５）、ユーザ操作による選択先のカーソル内容をポップアップ表示により事前確認させた上で実際に画面内容を変更するためのカーソル操作を行わせることができる。
【００８０】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００８１】
【図１】本発明の実施形態に係る放送受信端末１０の構成を示すブロック図。
【図２】前記放送受信端末１０による第１実施形態の放送画面領域拡大処理を示すフローチャート。
【図３】前記放送受信端末１０の第１実施形態の放送画面領域拡大処理に伴う拡大比率変更処理を示すフローチャート。
【図４】前記放送受信端末１０による第１実施形態の放送画面領域拡大処理に伴うデータ放送再生画面での領域拡大表示状態を示す図。
【図５】前記放送受信端末１０による第２実施形態の放送画面領域拡大処理を示すフローチャート。
【図６】前記放送受信端末１０による第２実施形態の放送画面領域拡大処理に伴うデータ放送再生画面での領域拡大表示状態（その１）を示す図。
【図７】前記放送受信端末１０による第２実施形態の放送画面領域拡大処理に伴うデータ放送再生画面での領域拡大表示状態（その２）を示す図。
【図８】前記放送受信端末１０による第３実施形態の放送画面領域拡大処理を示すフローチャート。
【図９】前記放送受信端末１０による第３実施形態の放送画面領域拡大処理に伴うデータ放送再生画面での領域拡大表示状態を示す図。
【図１０】前記放送受信端末１０による放送画面領域拡大処理においてユーザ操作に伴うカーソル領域を検出するための他の実施形態を説明する図。
【図１１】放送受信端末１０による第４実施形態の放送画面領域拡大処理を示すフローチャート。
【図１２】デジタルテレビジョン放送におけるデータ放送を受信再生した場合の従来の受信画面の一例を示す図。
【符号の説明】
【００８２】
１０…放送受信端末、１１…アンテナ、１２…放送受信部、１３…番組コンテンツ取得部、１４…映像再生部、１５…音声再生部、１６…ディスプレイ、１７…スピーカ、１８…ＢＭＬ解析機能部、１９…リモコン・タッチパネルキー取得部、２０…ＢＭＬ取得部、２１…ＢＭＬ解析部、２２…フォーカス位置検出部、２３…自動拡大領域座標設定部、２４…映像拡大部、２５…ユーザ指定領域拡大部、２６…自動拡大領域拡大部、２７…タイマー制御部、２８…映像合成部、３１…映像放送中の動画像、３２…天気予報の動画像、３３…ニュースのテキスト画像、３３Ｘ、３３Ｘ′…ユーザ指定領域の拡大画像、３４ａ，３４ｂ，…カーソル、３４Ｘ、３４Ｘ′…カーソル操作領域拡大画像、３４Ｐ…カーソル操作領域ポップアップ画像、３５ａ…ボタン／カーソル操作用の操作パネル、３５ｂ…拡大比率変更用の操作パネル、３６、３６′…拡大領域レイアウト画像、３７ａ…拡大指定領域枠、３７ｂ…自動拡大領域枠、３７′…現在の拡大指定領域枠、Ｄ３１…映像部分領域、Ｄ３２…アニメーション部分領域、Ｄ３４…カーソル操作領域。
【図１】
2007174193.tif 000003
【図２】
2007174193.tif 000004
【図３】
2007174193.tif 000005
【図４】
2007174193.tif 000006
【図５】
2007174193.tif 000007
【図６】
2007174193.tif 000008
【図７】
2007174193.tif 000009
【図８】
2007174193.tif 000010
【図９】
2007174193.tif 000011
【図１０】
2007174193.tif 000012
【図１１】
2007174193.tif 000013
【図１２】
2007174193.tif 000014